(57)【要約】 【課題】  操作性の良いユーザインターフェースを有する画像処理装置を提供する。【解決手段】  実施形態によれば、画像処理装置は、表示部と、検知部と、インターフェースと、制御部とを有する。表示部は、操作画面を表示する。検知部は、表示部が表示する操作画面に対する操作指示を検知する。インターフェースは、複数のキーを有する入力装置を接続する。制御部は、宛先を選択するためのボタンを表示する宛先選択画面を表示した状態において、インターフェースに接続した入力装置における何れかのキーが入力された場合、表示部が表示する操作画面を宛先選択画面から入力装置を用いて宛先情報の入力が可能な入力画面に遷移させる。【選択図】図１
2017118475.tif 000002
【特許請求の範囲】
【請求項１】
操作画面を表示する表示部と、
前記表示部が表示する操作画面に対する操作指示を検知する検知部と、  複数のキーを有する入力装置を接続するためのインターフェースと、
宛先を選択するためのボタンを表示する宛先選択画面を表示した状態において、前記インターフェースに接続した入力装置における何れかのキーが入力された場合、前記表示部が表示する操作画面を前記宛先選択画面から前記入力装置を用いて宛先情報の入力が可能な入力画面に遷移させる制御部と、
を有する画像処理装置。
【請求項２】
前記宛先選択画面は、ＦＡＸ送信の宛先を選択するためのボタンを表示する操作画面であり、
前記制御部は、前記入力装置における番号を指定するキーが入力された場合、前記表示部が表示する操作画面を前記宛先選択画面からＦＡＸ番号を入力するためのＦＡＸ番号入力画面に遷移させる、
請求項１に記載の画像処理装置。
【請求項３】
前記制御部は、前記ＦＡＸ番号入力画面を表示した状態において、前記入力装置におけるデータ送信用のアドレスを指定するキーが入力された場合、前記表示部が表示する操作画面を前記ＦＡＸ番号入力画面からデータ送信用のアドレスを入力するためのアドレス入力画面に遷移させる、
請求項２に記載の画像処理装置。
【請求項４】
前記宛先選択画面は、ＦＡＸ送信の宛先を選択するためのボタンを表示する操作画面であり、
前記制御部は、前記インターフェースに接続した入力装置におけるデータ送信用のアドレスを入力するためのキーが入力された場合、前記表示部が表示する操作画面を前記宛先選択画面からデータ送信用のアドレスを入力するためのアドレス入力画面に遷移させる、
請求項１に記載の画像処理装置。
【請求項５】
画像処理装置に用いられる宛先設定方法であって、
宛先を選択するためのボタンを表示する宛先選択画面を表示部に表示し、
前記宛先選択画面を表示した状態において、前記画像処理装置に接続された入力装置における何れかのキーへの入力を検知し、
前記入力装置における何れかのキーへの入力を検知した場合、前記表示部が表示する操作画面を前記宛先選択画面から前記入力装置を用いて宛先情報の入力が可能な入力画面に遷移させる、
画像処理装置に用いられる宛先設定方法。
【発明の詳細な説明】
【技術分野】
【０００１】
本発明の実施形態は、画像処理装置および画像処理装置に用いられる宛先設定方法に関する。
【背景技術】
【０００２】
近年、デジタル複合機は、ユーザインターフェースとして、タッチパネル付きの表示部を有し、テンキーなどのハードキーを搭載しないものが多くなってきている。ハードキーを搭載しないデジタル複合機は、オプションとしてハードキーを装着可能としているものもある。デジタル複合機は、オプションのハードキーで番号等の情報を直接的に入力する場合であっても、入力された情報の表示等のため、番号入力画面等の直接入力画面を表示する必要がある。  
しかしながら、デジタル複合機の表示部は、画面サイズの都合上、直接入力画面と直接入力画面以外の操作画面とを同時に表示することが難しい。オプションのハードキーで情報を入力する場合、デジタル複合機は、直接入力画面と直接入力画面以外の操作画面とをユーザ操作によって切換える手間がかかるという問題点がある。
【先行技術文献】
【特許文献】
【０００３】
【特許文献１】特開２００５−４３６３号公報
【発明の概要】
【発明が解決しようとする課題】
【０００４】
本発明が解決しようとする課題は、操作性の良いユーザインターフェースを有する画像処理装置および画像処理装置に用いられる宛先設定方法を提供することにある。
【課題を解決するための手段】
【０００５】
実施形態によれば、画像処理装置は、表示部と、検知部と、インターフェースと、制御部とを有する。表示部は、操作画面を表示する。検知部は、表示部が表示する操作画面に対する操作指示を検知する。インターフェースは、複数のキーを有する入力装置を接続する。制御部は、宛先を選択するためのボタンを表示する宛先選択画面を表示した状態において、インターフェースに接続した入力装置における何れかのキーが入力された場合、表示部が表示する操作画面を宛先選択画面から入力装置を用いて宛先情報の入力が可能な入力画面に遷移させる。
【図面の簡単な説明】
【０００６】
【図１】図１は、実施形態に係る画像処理装置の構成例を概略的に示すブロック図である。
【図２】図２は、実施形態に係る画像処理装置における表示部の第１の表示例を説明するためのフローチャートである。
【図３】図３は、実施形態に係る画像処理装置における表示部の第２の表示例を示す図である。
【図４】図４は、実施形態に係る画像処理装置における表示部に宛先ＩＤ入力画面を表示した例を示す図である。
【図５】図５は、実施形態に係る画像処理装置によるＦＡＸモードでの動作例を説明するためのフローチャートである。
【図６】図６は、実施形態に係る画像処理装置によるＦＡＸモードでの動作例を説明するためのフローチャートである。
【図７】図７は、実施形態に係る画像処理装置によるＦＡＸモードでの動作例を説明するためのフローチャートである。
【発明を実施するための形態】
【０００７】
以下、実施形態について図面を参照して詳細に説明する。  
まず、画像処理装置としてのＭＦＰ（デジタル複合機（Multi-Functional Peripheral）１の構成について説明する。  
図１は、ＭＦＰ１の構成例を説明するためのブロック図である。  
図１に示す構成例において、ＭＦＰ（デジタル複合機）１は、スキャナ１１、プリンタ１２、システム制御部１３、およびコントロールパネル１４を有する。また、図１に示す構成例において、スキャナ１１、プリンタ１２、およびコントロールパネル１４は、システム制御部１３に接続される。
【０００８】
スキャナ１１は、原稿の画像を光学的に読み取って画像データに変換する装置である。スキャナ１１は、原稿台ガラス上にセットされた原稿、あるいは、原稿給紙装置（ＡＤＦ）により供給される原稿面の画像を読み取る。例えば、スキャナ１１は、原稿における主走査方向の１ライン分の画像を画像データに変換するＣＣＤラインセンサなどにより構成する光電変換部を含む。スキャナ１１は、原稿の副走査方向にＣＣＤラインセンサで原稿を走査することにより原稿の画像を読み取る。スキャナ１１は、システム制御部１３から動作指示に応じて原稿のスキャンを実行する。スキャナ１１は、読み取った原稿の画像（画像データ）をシステム制御部１３へ出力する。スキャナ１１は、原稿の画像データを取得する取得部として機能する。
【０００９】
プリンタ１２は、被画像形成媒体としての用紙に画像を形成する。プリンタ１２は、システム制御部１３から指定される様々な印刷条件で、システム制御部１３から供給される画像データに基づく画像を用紙にプリントする。プリンタ１２に指定できる印刷条件は、プリンタ１２の仕様に応じたものとなる。  
なお、プリンタ１２としては、様々な画像形成方式のプリンタが適用できる。例えば、プリンタ１２は、電子写真方式のプリンタであっても良いし、インクジェット方式あるいは熱転写方式などであっても良い。
【００１０】
また、システム制御部１３は、ＭＦＰ１全体を統括的に制御する。システム制御部１３は、スキャナ１１、プリンタ１２、およびコントロールパネル１４などのＭＦＰ１の各部に接続する。システム制御部１３は、スキャナ１１、プリンタ１２、および、コントロールパネル１４と双方向に通信する。システム制御部１３は、スキャナ１１、プリンタ１２、およびコントロールパネル１４などの各部の動作を統括的に制御する。また、システム制御部１３は、画像処理などの各種の処理を行う機能を有する。
【００１１】
図１に示す構成例において、システム制御部１３は、プロセッサ３１、ＲＡＭ３２、ＲＯＭ３３、メモリ３４、画像メモリ３５、画像処理部３６、ＦＡＸ部３７、および、通信部３８などを有する。プロセッサ３１、ＲＡＭ３２、ＲＯＭ３３およびデータメモリ３４は、各部の制御および各種の処理を実行する処理部として機能する。  
プロセッサ３１は、制御部として機能する。プロセッサ３１は、プログラムに従って演算処理を実行する機能を有する。プロセッサ３１は、例えば、ＣＰＵである。プロセッサ３１は、ＲＯＭ３３あるいはデータメモリ３４が記憶するプログラムを実行することにより種々の処理機能を実現する。ＲＡＭ３２は、ワーキングメモリである。ＲＡＭ３２は、例えば、揮発性のメモリである。ＲＡＭ３２は、実行するプログラムを読み込んだり、バッファメモリとして機能したりする。ＲＯＭ３３は、プログラムメモリである。ＲＯＭ３３は、例えば、書換え不可の不揮発性メモリである。ＲＯＭ３３は、当該ＭＦＰ１に固有のプログラム及び設定データなどを記憶する。
【００１２】
データメモリ３４は、制御データ、制御プログラム、および、設定情報などを記憶する。データメモリ３４は、例えば、書換え可能な不揮発性のメモリである。データメモリ３４は、例えば、各種の動作モードにおけるデフォルト設定値なども記憶する。また、データメモリ３４は、宛先名及びＩＤなどに対応づけたＦＡＸ番号、或いはメールアドレスなどの宛先情報を記憶するアドレス帳３４ａを有する。また、アドレス帳３４ａは、良く使う宛先をお気に入りとして保存する。また、アドレス帳３４ａは、ユーザ毎に設けても良いし、ＭＦＰ毎に設けても良いし、グループ毎に設けても良い。  
なお、アドレス帳３４ａは、ＭＦＰ１が通信可能な外部装置のメモリに保存しても良い。例えば、アドレス帳３４ａは、通信部３８を介して通信可能なサーバ装置のメモリに設けても良いし、通信部３８を介して通信可能な他のＭＦＰのメモリに設けても良い。
【００１３】
画像メモリ３５は、ハードディクスドライブおよびページメモリなどにより構成を有する。画像メモリ３５は、複数の画像データを記憶する。画像メモリ３５は、スキャンした画像データあるいはプリントする画像データを展開するためのページメモリとしても機能する。なお、画像データは、必ずしも全ての画像メモリ３５に記憶しなくても良い。例えば、画像データは、データメモリ３４が記憶するようにしても良い。  
画像処理部３６は、画像データを処理する。画像処理部３６は、スキャナ１１が原稿から読み取った画像データに対する画像処理を行う。また、画像処理部３６は、通信部３８或いはＦＡＸ部３７等を介して外部装置から取得した画像データに対して画像処理を行うようにしても良い。例えば、画像処理部３６は、スキャナ１１がスキャンした画像からサムネイル形式の画像（サムネイル画像）を生成する。なお、画像処理部３６による画像処理機能の一部又は全部は、プロセッサ３１が実施するようにしても良い。
【００１４】
ＦＡＸ部３７は、ファクシミリ通信を行うためのＦＡＸインターフェースである。ＦＡＸ部３７は、プロセッサ３１により設定されるＦＡＸ番号にデータをＦＡＸ送信する。通信部３８は、インターネット等のネットワークを介して、外部装置とデータ通信を行うためのネットワークインターフェースである。通信部３８は、プロセッサ３１に設定されるデータ送信用のアドレスに原稿をスキャンした画像データを送信する機能（ｉＦＡＸ）によるデータ通信を行う。
【００１５】
コントロールパネル１４は、ユーザインターフェースである。コントロールパネル１４は、ユーザに対する案内を表示したり、ユーザによる操作指示を受け付けたりする。図１に示す構成例において、コントロールパネル１４は、プロセッサ４１、ＲＡＭ４２、ＲＯＭ４３、表示部４４、タッチパネル４５、および、外部インターフェース（Ｉ／Ｆ）４６を有する。  
プロセッサ４１は、コントロールパネル１４を制御する。プロセッサ４１は、プログラムを実行する演算回路である。プロセッサ４１は、例えば、ＣＰＵである。プロセッサ４１は、ＲＯＭ４３に記憶したプログラムを実行することにより種々の処理機能を実現する。プロセッサ４１は、コントロールパネル１４の各部に入力された情報をシステム制御部１３へ供給する。また、プロセッサ４１は、システム制御部１３からの制御信号に応じてコントロールパネル１４の各部を制御する。
【００１６】
ＲＡＭ４２は、ワーキングメモリである。ＲＡＭ４２は、例えば、揮発性のメモリである。ＲＯＭ４３は、不揮発性のプログラムメモリである。ＲＯＭ４３は、書換え可能な不揮発性のメモリで構成されることにより、プログラム、制御データ、設定情報および表示データなどを更新できるようにしても良い。  
表示部４４は、操作画面および操作案内などを表示する。表示部４４は、例えば、液晶表示装置である。表示部４４は、表示画面上にタッチパネル４５を有する。タッチパネル４５は、操作部として機能する。タッチパネル４５は、表示部４４の表示画面上においてユーザがタッチした部位を検知する。タッチパネル４５は、ユーザがタッチした位置を示す情報を検知信号としてプロセッサ４１へ供給する。なお、操作部としては、表示したアイコンを選択できるものであれば良く、例えば、ポインティングデバイスなどの操作装置であっても良い。
【００１７】
プロセッサ４１は、表示部４４に表示する画面を制御する。プロセッサ４１は、システム制御部１３から指示に応じて各種の操作画面を表示部４４に表示する。例えば、プロセッサ４１は、システム制御部１３から指示に応じて複数頁のスキャン画像のサムネイル画像を並べたプレビュー表示画面を表示部４４に表示する。  
また、プロセッサ４１は、タッチパネル４５による検知信号により表示部４４の表示画面にユーザが入力（タッチ）した位置を特定する。例えば、プロセッサ４１は、表示部４４に表示したアイコンの表示位置とタッチパネル４５が検知するユーザのタッチ位置とに基づいてユーザが入力したアイコン（指示内容）を特定する。プロセッサ４１は、検知した指示内容を示す情報をシステム制御部１３のプロセッサ３１へ供給する。また、プロセッサ４１は、タッチパネル４５が検知するユーザによる表示画面へタッチ操作（タッチ位置の移動距離や移動速度などのタッチ状態）に応じて操作指示の内容を検知するようにしても良い。
【００１８】
外部インターフェース（Ｉ／Ｆ）４６は、外部機器としての入力装置Ｄを接続するためのインターフェースである。外部Ｉ／Ｆ４６は、外付けの入力装置Ｄとして、番号を入力する入力装置あるいはアドレスを入力する入力装置が接続できる。番号を入力する入力装置は、例えば、テンキーである。また、アドレスを入力する入力装置は、例えば、キーボードである。外部Ｉ／Ｆ４６は、物理的に接触して外付けの入力装置Ｄと接続するものでも良いし、無線通信により外付けの入力装置Ｄと接続するものでも良い。例えば、外部Ｉ／Ｆ４６は、ＵＳＢ（ユニバーサルシリアルバス）などの汎用の規格に準じたインターフェースであっても良い。
【００１９】
次に、実施形態に係るＭＦＰ１のコントロールパネル１４の表示部４４が表示する表示画面の例について説明する。  
図２は、ＭＦＰ１のＦＡＸモードにおいて表示部４４が表示する宛先設定画面の第１の表示例である。  
宛先設定画面は、案内表示領域Ｒ１、宛先表示領域Ｒ２、宛先入力領域Ｒ３、及び操作ボタン領域Ｒ４を有する。案内表示領域Ｒ１は、表示部４４の表示領域における上部の領域である。宛先表示領域Ｒ２は、表示部４４の表示領域における左側の領域である。宛先入力領域Ｒ３は、表示部４４の表示領域における右側の領域である。操作ボタン領域Ｒ４は、表示部４４の表示領域における下部の領域である。
【００２０】
案内表示領域Ｒ１は、操作案内を表示する。案内表示領域Ｒ１は、操作案内を表示するだけでなく、操作ボタンなどを表示しても良い。例えば、図２に示す例では、案内表示領域Ｒ１には、モニタボタン６１が表示される。モニタボタン６１は、ＦＡＸのオンフック送信を指示するボタンである。宛先表示領域Ｒ２は、登録（選択）済みの宛先を示す情報を表示する。宛先表示領域Ｒ２は、例えば、登録済みの宛先を示す情報をリスト形式で表示する。
【００２１】
宛先入力領域Ｒ３は、宛先を選択又は直接的に入力するための操作画面を表示する。宛先入力領域Ｒ３に表示する操作画面としては、宛先選択画面、又は直接入力画面（入力画面）がある。宛先選択画面は、アドレス帳３４ａに登録されている宛先から送信先とする宛先を選択する操作画面である。宛先選択画面（アドレス帳画面）としては、例えば、各宛先に対応するボタン（アイコン）を表示するボタン形式の宛先選択画面、各宛先をリストで表示するリスト形式の宛先選択画面がある。また、直接入力画面（入力画面）としては、例えば、番号（数字）入力画面（ＦＡＸ番号入力画面）、或は、アドレス入力画面（ｉＦＡＸ宛先入力画面）がある。番号（数字）入力画面（ＦＡＸ番号入力画面）は、ＦＡＸ番号を入力するための直接入力画面である。アドレス入力画面（ｉＦＡＸ宛先入力画面）は、ｉＦＡＸの送信先とするデータ送信用のアドレスを入力ための直接入力画面である。宛先入力領域Ｒ３に表示する画面については、後で詳細に説明する。
【００２２】
操作ボタン領域Ｒ４は、各種の操作ボタンを表示する。図２に示す例では、領域Ｒ４に、全削除ボタン８１、サイズボタン８２、解像度ボタン８３、オプションボタン８４、プレビューボタン８５、送信ボタン８６等が表示される。  
全削除（Clear All Dest.）ボタン８１は、登録済みの宛先を全て削除することを指示するボタンである。サイズ（Folio）ボタン８２は、画像のサイズを指示するボタンである。解像度（U-fine）ボタン８３は、画像の解像度を指示するボタンである。オプション（Option）ボタン８４は、オプション設定を指示するボタンである。プレビュー（Preview）ボタン８５は、画像のプレビュー表示を指示するボタンである。
【００２３】
送信（Send）ボタン８６は、送信処理の開始を指示するボタンである。送信ボタン８６は、少なくとも１つの宛先が設定された場合に選択可能な状態で表示される。また、送信ボタン８６が指示された場合の動作は、ユーザが設定できるようにしても良い。例えば、ＭＦＰ１は、送信ボタン８６が指示された場合、直にＦＡＸ送信を開始するように設定しても良い。また、ＭＦＰ１は、送信ボタン８６の指示に応じて宛先確認画面を表示し、宛先の確認が指示された後にＦＡＸ送信を開始するように設定しても良い。
【００２４】
次に、宛先設定画面の宛先入力領域Ｒ３に表示する操作画面について説明する。  
図２は、ボタン形式の宛先選択画面の表示例を示す。図２に示す例において、宛先入力領域Ｒ３は、表示する画面を選択する３つのタブ７１ａ、７１ｂ、７１ｃを有する。また、図２に示す例では、宛先入力領域Ｒ３は、選択ボタン７２ａ及び選択ボタン７２ｂを有する。さらに、図２に示す例では、タブ７１ａにマーク７１ｍが表示される。マーク７１ｍは、３つのタブ７１ａ、７１ｂ、７１ｃのうち選択中であるタブを示す。図２に示す例では、マーク７１ｍは、タブ７１ａが選択中であることを示している。
【００２５】
第１タブ７１ａは、個人毎の宛先を選択するための宛先選択画面の表示を選択するキーである。第２タブ７１ｂは、グループ単位で宛先を選択するための宛先選択画面の表示を選択するキーである。第３タブ７１ｃは、宛先の情報（ＦＡＸ番号又はｉＦＡＸ用のアドレス）を直接入力するための直接入力画面（番号入力画面又はアドレス入力画面）の表示を選択するキーである。
【００２６】
第１タブ７１ａ又は第２タブ７１ｂが選択された場合、宛先入力領域Ｒ３は、選択ボタン７２ａと選択ボタン７２ｂとを表示する。選択ボタン７２ａは、ボタン（アイコン）形式で宛先選択画面を表示することを指示するボタンである。選択ボタン７２ｂは、リスト形式で宛先選択画面を表示することを指示するボタンである。  
なお、ここでは、図２を参照して、第１タブ７１ａが選択された場合の宛先選択画面について説明する。第２タブ７１ｂが選択された場合の宛先選択画面は、宛先がグループ単位となる以外は第１タブ７１ａが選択された場合の宛先選択画面と同様な構成で実現できる。
【００２７】
ここで、宛先選択画面の例について説明する。  
選択ボタン７２ａが選択された場合、宛先入力領域Ｒ３は、ボタン（アイコン）形式の宛先選択画面を表示する。ボタン形式の宛先選択画面は、図２に示すように、アドレス帳３４ａに登録されている宛先に対応するボタン７３（７３ａ、７３ｂ、…）を一覧表示する。各ボタン７３ａ、７３ｂ、…は、対応する宛先を示す情報（例えば、宛先名、ＩＤ）が表示される。各ボタン７３ａ、７３ｂ、…は、タッチパネル４５により選択可能である。タッチされたボタンは、選択状態を示す表示（例えば、反転表示又は所定色での表示）となる。選択状態となったボタンに対応する宛先は、宛先として選択（登録）された状態となり、宛先表示領域Ｒ２に表示される。さらに、選択状態のボタンがタッチされると、当該ボタンは、非選択状態となる。非選択状態となったボタンに対応する宛先は、宛先から削除され、宛先表示領域Ｒ２の表示からも削除される。
【００２８】
また、図２に示す宛先選択画面は、実際に宛先入力領域Ｒ３に表示する宛先を絞り込むための条件タブ７４ａ、７４ｂ、７４ｃ、…を有する。条件タブ７４ａは、良く使う宛先（お気に入り）として設定されている宛先のボタンを表示することを指示するキーである。また、条件タブ７４ａが選択された場合、お気に入りに設定されている各宛先のボタンを表示する順番は、ユーザが設定できるようにして良い。例えば、各宛先のボタンは、ユーザが予め設定した順番に並べて表示するようにしても良いし、使用頻度の高い順番に並べて表示しても良い。
【００２９】
条件タブ７４ｂは、アドレス帳３４ａに登録されている全宛先のボタンを宛先名の頭文字がアルファベット順になるように表示することを指示するキーである。また、条件タブ７４ｂが選択された場合、領域Ｒ３には、アドレス帳３４ａに登録されている全宛先のボタンがＩＤ（ＩＤ番号）の順に表示されるようにしても良い。条件タブ７４ｃ、…は、アドレス帳３４ａに登録されている宛先名の頭文字によって表示する宛先のボタンを絞り込むことを指示するキーである。例えば、「ＡＢＣ」と表示される条件タブ７４ｃが選択された場合、宛先名の頭文字が「Ａ」、「Ｂ」、又は「Ｃ」である宛先に対応するボタンが表示される。
【００３０】
さらに、図２に示す宛先選択画面は、検索ボタン７５を有する。検索ボタン７５は、表示する宛先を絞り込む（検索する）ための条件の入力を指示するキーである。検索ボタン７５が指示されると、宛先選択画面には、検索条件の入力画面が表示される。検索条件の入力画面において検索条件を入力した状態で検索を実行すると、宛先選択画面には、検索条件で絞り込んだ宛先のボタンを一覧が表示される。
【００３１】
また、選択ボタン７２ｂが選択された場合、宛先入力領域Ｒ３は、リスト形式の宛先選択画面を表示する。リスト形式の宛先選択画面は、アドレス帳に登録されている宛先を示す情報をリストで表示する。リストは、例えば、宛先ごとの表形式で表示される。各宛先の表示部位は、タッチパネル４５により選択可能である。タッチされた宛先の表示部位は、選択状態を示す表示（例えば、反転表示又は所定色での表示）となる。選択状態となった部位に表示されている宛先は、宛先として選択（登録）された状態となり、宛先表示領域Ｒ２に表示される。また、選択状態の部位がタッチされると、当該部位は、非選択状態となる。非選択状態となった部位に表示されている宛先は、宛先から削除され、宛先表示領域Ｒ２の表示からも削除される。
【００３２】
なお、リスト形式の宛先選択画面においても、宛先入力領域Ｒ３にはリストで表示する宛先を絞り込むための図２と同様な条件タブ７４ａ、７４ｂ、７４ｃ、…を表示して良い。リスト形式の宛先選択画面は、条件タブ７４ａが選択された場合、良く使う宛先（お気に入り）として設定されている宛先を設定された順番で示すリストを表示すれば良い。また、リスト形式の宛先選択画面は、条件タブ７４ｂが選択された場合、全宛先を表示対象とし、宛先名の頭文字がアルファベット順になるように並べたリストを表示する。
リスト形式の宛先選択画面は、条件タブ７４ｂ、７４ｃ、…が選択された場合、宛先名の頭文字により絞り込んだ宛先のリストを表示する。
【００３３】
次に、直接入力画面としての番号入力画面の例について説明する。  
図３は、ＭＦＰ１のＦＡＸモードにおいて表示部４４が表示する宛先設定画面の第２の表示例である。  
図３に示す宛先設定画面は、宛先入力領域Ｒ３に表示する画面が直接入力画面としての番号入力画面９０になっている。また、図３に示す例において、マーク７３ｍは第３タブ７１ｃが選択中であることを示している。すなわち、番号の直接入力を受け付ける場合、表示部４４は、第３タブ７１ｃを選択状態とすると共に、宛先入力領域Ｒ３に図３に示すような番号入力画面９０を表示する。図３に示す番号入力画面９０は、ＦＡＸモードにおいて、ＦＡＸ番号を直接入力するための直接入力画面である。番号入力画面９０は、番号入力欄（入力表示欄）９１、テンキー９２、ポーズボタン９３、バックスペースボタン９４、クリアボタン９４、追加ボタン９６、および切換ボタン９７を有する。
【００３４】
番号表示欄（入力表示欄）９１は、入力された番号を表示する。番号入力欄９１には、入力された番号が入力順に追加表示される。番号入力欄９１は、番号入力が可能な外付けの入力装置（例えば、テンキー又はキーボード）がＭＦＰ１に接続された場合、入力装置で入力された番号を表示する。また、番号入力欄９１は、表示されているテンキー９２に入力された番号を表示する。  
テンキー９２は、０乃至９の各番号ボタンとアスタリスクボタンとシャープボタンとを有する。テンキー９２の各番号ボタンへの入力は、タッチパネル４６により検知される。なお、番号入力が可能な外付けの入力装置（例えば、テンキー又はキーボード）がＭＦＰ１に接続されている場合、テンキー９２は、表示しないようにしても良い。外付けの入力装置が接続されている場合、テンキー９２を表示しないことによりユーザの誤操作が防止できる。
【００３５】
ポーズボタン９３は、ポーズキーとして機能する。例えば、０発信する場合、ポーズボタン９３が指示される。バックスペースボタン９４は、入力した番号を１つだけ消去することを指示するボタンである。バックスペースボタン９４が指示される毎に、番号入力欄９１に表示された番号が最後方（番号列の左端）から１個ずつ消去される。クリアボタン９４は、入力した番号を全て消去することを指示するボタンである。クリアボタン９４が指示されると、番号入力欄９１に表示された番号は、全て消去される。
【００３６】
追加ボタン９６は、入力した番号を宛先として確定することを指示するボタンである。また、追加ボタン９６は、入力した番号に続けて次の番号を入力すること指示するボタンでもある。追加ボタン９６が指示されると、番号入力欄９１に表示された番号は宛先の１つとして登録され、宛先表示領域Ｒ２に表示される。また、登録された番号が宛先表示領域Ｒ２に表示されると、番号入力欄９１は、表示内容がクリアされる。  
切換ボタン９７は、アドレス入力画面への切換を指示するボタンである。アドレス入力画面は、ｉＦＡＸ用のアドレス（データ送信用のアドレス）を入力するための直接入力画面である。
【００３７】
次に、直接入力画面としてのアドレス入力画面の例について説明する。  
アドレス入力画面は、アルファベットなどのアドレスの表記に用いられる文字及び記号などを直接的に入力するための操作画面である。例えば、アドレス入力画面は、アドレス入力欄（入力表示欄）、クリアボタン、追加（確定）ボタン、およびキーボード表示ボタンなどで構成する。
【００３８】
アドレス入力欄は、入力されたアドレスを構成する文字及び記号等の情報を表示する。例えば、外付けの入力装置（例えば、キーボード）ＤがＭＦＰ１に接続された場合、アドレス入力欄は、入力装置Ｄで入力された情報を表示する。クリアボタンは、アドレス入力欄に表示した情報（入力したアドレス）を全て消去することを指示するボタンである。追加ボタンは、入力した情報（アドレス）を宛先として確定することを指示するボタンである。また、追加ボタンは、入力したアドレスに続けて次のアドレスを入力すること指示するボタンでもある。また、キーボード表示ボタンは、ソフトウエアキーボードの表示を指示するボタンである。ソフトウエアキーボードは、タッチパネル４５によりアドレスとしての文字及び記号を入力するためのボタン群を含むタッチキーである。
【００３９】
図４は、アドレス入力画面１００においてソフトウエアキーボード１０２を表示した表示例である。図４に示すアドレス入力画面１００は、アドレス入力欄（入力表示欄）１０１を表示した状態においてソフトウエアキーボード１０２を表示する。図４に示す例において、ソフトウエアキーボード１０２として表示される文字及び記号などの各ボタン（ソフトキー）は、タッチパネル４５により入力可能である。図４に示す例において、ソフトウエアキーボード１０２の各ボタンで入力された情報は、アドレス入力欄１０１に表示される。また、ソフトウエアキーボード１０２は、閉じるボタン１１１を有する。閉じるボタン１１１がタッチされると、ソフトウエアキーボード１０２の表示が消える（閉じる）。
【００４０】
なお、ＭＦＰ１は、アドレス入力画面を表示した状態において、外部Ｉ／Ｆ４６に接続された外付けの入力装置Ｄとしてのキーボード等により入力されたアドレス情報を受け付けることができる。アドレス情報の入力が可能な外付けの入力装置がＭＦＰ１に接続されている場合、ユーザの誤操作を防止するため、ソフトウエアキーボードは、表示しないようにしても良い。
【００４１】
次に、ＭＦＰ１におけるＦＡＸモードでの宛先設定の動作について説明する。  
図５乃至図７は、ＭＦＰ１におけるＦＡＸモードでの宛先設定の動作例を説明するためのフローチャートである。  
システム制御部１３のプロセッサ３１は、待機状態において、コントロールパネル１４の表示部４４にメインメニュー画面を表示する。メインメニュー画面は、ＦＡＸモードを含む各種の処理モードが選択できる操作画面である。ＦＡＸモードが指定された場合（ＡＣＴ１１、ＹＥＳ）、プロセッサ３１は、表示部４４にＦＡＸの宛先を設定する宛先設定画面を表示する（ＡＣＴ１２）。ここで、ＦＡＸモードが選択された場合に、最初に表示する画面は、初期画面の設定として設定できる。ここでは、一例として、図２に示すようなボタン形式の宛先選択画面を有する宛先設定画面が初期画面として設定されているものとして説明する。
【００４２】
宛先選択画面を表示した状態において、プロセッサ３１は、タッチパネル４５により検知する画面上への各種の操作指示を受け付ける。例えば、宛先選択画面において宛先に対応するボタン７３ａ、…が選択されると、プロセッサ３１は、選択されたボタンに対応する宛先が選択（登録）済みであることを示す表示状態とする。また、プロセッサ３１は、タブ７１ａ、７１ｂ、７１ｃの何れかが指示されると、指示されたタブに応じて宛先選択画面の宛先入力領域Ｒ３を更新する。さらに、プロセッサ３１は、宛先が１つでも登録されると、送信ボタン８６を選択可能な状態とする。送信ボタン８６が指示されると（ＡＣＴ２８、ＹＥＳ）、プロセッサ３１は、登録済みの宛先にＦＡＸを送信する送信処理を実行する（ＡＣＴ２９）。
【００４３】
宛先選択画面を表示した状態において、プロセッサ３１は、タッチパネル４５により検知する画面上への各種の操作指示を受け付ける。宛先入力領域Ｒ３において１つの宛先の表示部位（ボタン）が指示されると（ＡＣＴ１３、ＹＥＳ）、プロセッサ３１は、指示された宛先が登録（選択）済みか否かを判断する（ＡＣＴ１４）。  
未登録（非選択）の宛先のボタンが指示されたと判断した場合（ＡＣＴ１４、ＹＥＳ）、プロセッサ３１は、指示されたボタンの表示部位を登録済みであることを示す表示状態とする（ＡＣＴ１５）。未登録の宛先のボタンが指示された場合、プロセッサ３１は、指示されたボタンの宛先を登録済みの宛先として宛先表示領域（登録欄）Ｒ２に表示する（ＡＣＴ１６）。例えば、プロセッサ３１は、宛先表示欄Ｒ２において、登録された宛先を追加表示し、宛先の総数を追加表示した宛先分を加算した数に更新する。
【００４４】
登録済みの宛先のボタンが指示されたと判断した場合（ＡＣＴ１４、ＮＯ）、プロセッサ３１は、指示されたボタンに対応する宛先の登録を解除する。指示されたボタンの宛先の登録を解除する場合、プロセッサ３１は、宛先入力領域Ｒ３における指示されたボタンの表示部位を未登録（非選択）であることを示す表示状態とする（ＡＣＴ１７）。また、プロセッサ３１は、宛先表示領域（登録欄）Ｒ２において、登録解除する宛先の表示を削除する（ＡＣＴ１８）。すなわち、プロセッサ３１は、宛先表示領域Ｒ２において、登録解除された宛先の表示を削除し、宛先の総数を登録解除された宛先分を減算した数に更新する。
【００４５】
また、プロセッサ３１は、外部Ｉ／Ｆ４６に接続された入力装置（外付け入力装置）Ｄからの情報の入力を受け付ける（ＡＣＴ１９）。例えば、入力装置Ｄは、番号キー（テンキー）、文字キー、記号キー、ファンクションキーなどの複数のキーを有するキーボードであるものとする。プロセッサ３１は、外部Ｉ／Ｆ４６を介して接続された入力装置Ｄにおける各キーへの入力を監視する。外付け入力装置Ｄでの入力を検出した場合（ＡＣＴ１９、ＹＥＳ）、プロセッサ３１は、外付け入力装置Ｄで入力された情報がＦＡＸ番号を指定するための番号（数字）であるか否かを判断する（ＡＣＴ２０）。例えば、プロセッサ３１は、外付け入力装置Ｄとしてのキーボードの番号キー、或はテンキーを構成する何れかのキーへの入力を検知した場合に番号が入力されたものと判断する。
【００４６】
外付け入力装置Ｄで入力された情報が番号であると判断した場合（ＡＣＴ２０、ＹＥＳ）、プロセッサ３１は、宛先入力領域Ｒ３を宛先選択画面から直接入力画面としての番号入力画面（ＦＡＸ番号入力画面）に更新する（ＡＣＴ３１）。例えば、外付け入力装置Ｄで番号キーが入力されると、プロセッサ３１は、図３に示すような番号入力画面を宛先入力領域Ｒ３に表示する。  
なお、外付け入力装置Ｄで番号が入力された場合に表示する番号入力画面は、図３に示す構成に限定されるものではない。例えば、外付け入力装置Ｄで番号が入力された場合に表示する番号入力画面は、テンキー９２を表示しない構成であっても良い。
【００４７】
外付け入力装置Ｄで入力された情報が番号でない場合（ＡＣＴ２０、ＮＯ）、プロセッサ３１は、外付け入力装置Ｄで入力された情報がｉＦＡＸの宛先としてのアドレスを指定する情報であるか否かを判断する（ＡＣＴ２１）。例えば、プロセッサ３１は、外付け入力装置Ｄで文字又は記号などのアドレスを指示するキー（アドレス指定キーと称する）への入力を検知した場合にアドレスを指定する情報が入力されたものと判断する。
【００４８】
外付け入力装置Ｄで入力された情報がｉＦＡＸの宛先としてのアドレスを指定する情報であると判断した場合（ＡＣＴ２１、ＹＥＳ）、プロセッサ３１は、宛先入力領域Ｒ３を宛先入力画面から直接入力画面としてのアドレス入力画面（ｉＦＡＸ宛先入力画面）に更新する（ＡＣＴ５１）。例えば、外付け入力装置Ｄでアドレス指定キーが入力されると、プロセッサ３１は、アドレス入力画面を宛先入力領域Ｒ３に表示する。
【００４９】
外付け入力装置Ｄで入力された情報がアドレスを指定する情報でない場合（ＡＣＴ２１、ＮＯ）、プロセッサ３１は、外付け入力装置Ｄで入力された情報が宛先ＩＤの検索を指定するキーであるか否かを判断する（ＡＣＴ２２）。宛先ＩＤの検索を指定するキー（以下、ＩＤ検索キーと称する）は、入力装置Ｄが有する特定のキーに割り当てられる。例えば、ＩＤ検索キーは、入力装置Ｄとしてのキーボードにおける何れかのファンクションキーに割り当てられる。
【００５０】
外付け入力装置Ｄで入力されたキーがＩＤ検索キーであると判断した場合（ＡＣＴ２２、ＹＥＳ）、プロセッサ３１は、表示部４４が表示している宛先設定画面上において宛先ＩＤを直接的に入力するための宛先ＩＤ入力画面を表示する（ＡＣＴ６１）。例えば、プロセッサ３１は、表示中の宛先選択画面上に宛先ＩＤ入力画面をポップアップ画面として表示する。例えば、宛先ＩＤ入力画面は、入力された宛先ＩＤを表示する入力表示欄と入力表示欄に表示した情報による検索を指示するＯＫボタンとを有する。また、宛先ＩＤ入力画面は、宛先ＩＤとしての番号などの情報を入力するためのボタンを表示しても良い。例えば、宛先ＩＤが数字で設定される場合、テンキーを表示しても良い。
【００５１】
また、外付け入力装置Ｄへの入力がない場合（ＡＣＴ１９、ＮＯ）、或は、入力装置Ｄにおいて番号キー、アドレス指定キー又はＩＤ検索キーへの入力がない場合（ＡＣＴ２２、ＮＯ）、プロセッサ３１は、宛先選択画面において画面更新の指示を受け付ける（ＡＣＴ２６）。画面更新の指示を受けた場合（ＡＣＴ２６、ＹＥＳ）、プロセッサ３１は、指示に応じて宛先設定画面の表示を更新する（ＡＣＴ２７）。例えば、タブ７１ａ〜７１ｃの選択状態が変更された場合、プロセッサ３１は、宛先入力領域Ｒ３の表示画面を変更する。また、選択ボタン７２ａ及び７２ｂの選択状態が変更された場合、プロセッサ３１は、宛先入力領域Ｒ３に表示する宛先選択画面の表示形式を変更する。また、条件タブの選択状態が変更された場合、プロセッサ３１は、宛先入力領域Ｒ３に表示する宛先を変更する。
【００５２】
また、プロセッサ３１は、宛先設定画面において送信ボタン８６による送信指示を受け付ける（ＡＣＴ２８）。プロセッサ３１は、少なくとも１つの宛先が設定された場合に送信ボタン８６を選択可能な状態で表示される。送信ボタン８６が指示された場合（ＡＣＴ２８、ＹＥＳ）、プロセッサ３１は、登録済みの宛先へＦＡＸを送信する処理を実行する（ＡＣＴ２９）。例えば、プロセッサ３１は、送信ボタン８６が指示された場合、直にスキャン及びＦＡＸ送信を開始する。また、プロセッサ３１は、送信ボタン８６の指示に応じて宛先確認画面を表示し、表示した宛先の確認が指示された後に処理を開始するようにしても良い。送信ボタン８６が指示された場合の動作は、ユーザが設定できるようにして良い。
【００５３】
ここで、外付け入力装置Ｄでの番号の入力に応じて番号入力画面９０を表示した場合（ＡＣＴ２０でＹＥＳの場合）の処理について説明する。  
外付け入力装置Ｄにおける番号キーへの入力を検知すると、プロセッサ３１は、宛先入力領域Ｒ３に番号入力画面（ＦＡＸ番号入力画面）９０を表示する（ＡＣＴ３１）。入力装置Ｄの番号キーへの入力に応じて番号入力画面９０を表示する場合、プロセッサ３１は、外付け入力装置Ｄで入力された番号キーに対応する番号（数字）を番号入力欄９１に表示する（ＡＣＴ３２）。
【００５４】
番号入力画面９０を表示した状態において、プロセッサ３１は、外付け入力装置Ｄ又はテンキー９２による番号の入力を受け付ける（ＡＣＴ３３）。外付け入力装置Ｄ又はテンキー９２で番号が入力されると（ＡＣＴ３３、ＹＥＳ）、プロセッサ３１は、入力された番号を番号入力欄９１に表示する（ＡＣＴ３４）。なお、プロセッサ３１は、入力装置Ｄのバックスペースボタン又は番号入力画面９０のバックスペースボタン９４への入力に応じて番号入力欄９１に表示する番号を１つクリアする。また、プロセッサ３１は、入力装置Ｄのオールクリアボタン又は番号入力画面９０のクリアボタン９５への入力に応じて番号入力欄９１に表示する全ての番号をクリアする。
【００５５】
また、番号入力画面９０を表示した状態において、プロセッサ３１は、入力されたＦＡＸ番号の確定を指示する追加ボタン９６への入力を受け付ける（ＡＣＴ３５）。プロセッサ３１は、追加ボタン９６が押されると（ＡＣＴ３５、ＹＥＳ）、番号入力欄９１に表示した番号を宛先表示領域（登録欄）Ｒ２に表示（登録）する（ＡＣＴ３６）。登録欄Ｒ２に番号を表示（登録）すると、プロセッサ３１は、番号入力欄９１に表示する番号をクリアする（ＡＣＴ３７）。これにより、番号入力画面９０は、次の宛先の番号の入力が可能な状態となる。
【００５６】
また、番号入力画面９０を表示した状態において、プロセッサ３１は、アドレス入力画面（ｉＦＡＸ宛先入力画面）１００への切替えを指示する切換ボタン９７への入力を受け付ける（ＡＣＴ３８）。切換ボタン９７が入力されると（ＡＣＴ３８、ＹＥＳ）、プロセッサ３１は、宛先入力領域Ｒ３に表示する画面を番号入力画面９０からアドレス入力画面１００に更新する（ＡＣＴ５１）。
【００５７】
また、番号入力画面９０を表示した状態において、プロセッサ３１は、外付け入力装置ＤにおけるＩＤ検索キーとしての特定キー（例えばファンクションキー）への入力を受け付ける（ＡＣＴ３９）。入力装置ＤのＩＤ検索キーが入力されると（ＡＣＴ３９、ＹＥＳ）、プロセッサ３１は、表示中の画面上に宛先ＩＤ入力画面（宛先ＩＤ検索画面）をポップアップ画面として表示する（ＡＣＴ７１）。なお、プロセッサ３１は、宛先入力領域Ｒ３の表示を宛先選択画面に更新し、その宛先選択画面を表示した状態において宛先ＩＤ入力画面を表示しても良い。また、ＩＤ検索キーは、宛先選択画面を表示した状態で受付けるものとし、番号入力画面９０を表示した状態では受け付けないようにしても良い。
【００５８】
また、番号入力画面９０を表示した状態において、プロセッサ３１は、送信ボタン８６への入力を受け付ける（ＡＣＴ４０）。番号入力欄９１に番号を表示した状態で送信ボタン８６が指示されると（ＡＣＴ４０、ＹＥＳ）、プロセッサ３１は、番号入力欄９１に表示している番号をＦＡＸの送信先の１つとして送信処理へ移行する（ＡＣＴ２９）。つまり、送信ボタン８６への指示を検知すると、プロセッサ３１は、宛先表示領域Ｒ２に表示する宛先と番号入力欄９１に表示する番号とをＦＡＸの送信先として確定する。ＦＡＸの送信先を確定すると、プロセッサ３１は、確定した各宛先への送信処理を開始する。
【００５９】
また、番号入力画面９０を表示した状態において、プロセッサ３１は、宛先入力領域Ｒ３に表示する画面を宛先選択画面に戻す指示を受け付ける（ＡＣＴ１２）。宛先選択画面に戻す指示を検知すると（ＡＣＴ４１、ＹＥＳ）、プロセッサ３１は、宛先入力領域Ｒ３の表示を宛先選択画面に更新する（ＡＣＴ１２）。ただし、番号入力画面９０で登録欄Ｒ２に表示（登録）したＦＡＸ番号がある場合、プロセッサ３１は、登録したＦＡＸ番号を宛先の１つとしたままの状態で宛先選択画面へ遷移する。
【００６０】
次に、外付け入力装置Ｄにおけるアドレス指定キーへの入力に応じてアドレス入力画面１００を表示した場合（ＡＣＴ２１でＹＥＳの場合）の処理について説明する。  
外付け入力装置Ｄにおけるアドレス指定キーへの入力を検知すると、プロセッサ３１は、宛先入力領域Ｒ３にアドレス入力画面１００を表示する（ＡＣＴ５１）。入力装置Ｄのアドレス指定キー（文字キー又は記号キーなど）への入力に応じてアドレス入力画面１００を表示する場合（ＡＣＴ５１）、プロセッサ３１は、外付け入力装置Ｄで入力されたキーに応じた情報をアドレス入力欄（入力表示欄）１０１に表示する（ＡＣＴ５２）。
【００６１】
アドレス入力画面１００を表示した状態において、プロセッサ３１は、外付け入力装置Ｄ又はソフトウエアキーボード１１１によるアドレス指定キーの入力を受け付ける（ＡＣＴ５３）。外付け入力装置Ｄ又はソフトウエアキーボード１１１でアドレスの情報が入力されると（ＡＣＴ５３、ＹＥＳ）、プロセッサ３１は、入力された情報をアドレス入力欄１０１に表示する（ＡＣＴ５４）。なお、プロセッサ３１は、入力装置Ｄのバックスペースボタン又はソフトウエアキーボードのバックスペースボタンへの入力に応じて、アドレス入力欄１０１に表示した情報を１つだけクリアする。また、プロセッサ３１は、入力装置Ｄのオールクリアボタン又はソフトウエアキーボードの全削除ボタンへの入力に応じて、アドレス入力欄１０１に表示した全情報をクリアする。
【００６２】
また、アドレス入力画面１００を表示した状態において、プロセッサ３１は、入力済みのアドレスの確定を指示するボタン（追加ボタンなど）への入力を受け付ける（ＡＣＴ５５）。プロセッサ３１は、アドレスの確定を指示するボタンが押されると（ＡＣＴ５５、ＹＥＳ）、アドレス入力欄１０１に表示したアドレスを宛先表示領域（登録欄）Ｒ２に表示（登録）する（ＡＣＴ５６）。登録欄Ｒ２にアドレスを表示（登録）すると、プロセッサ３１は、アドレス入力欄１０１が表示する情報をクリアする（ＡＣＴ５７）。これにより、アドレス入力画面は、次の宛先とするアドレスの入力が可能な状態となる。
【００６３】
また、アドレス入力画面１００を表示した状態において、プロセッサ３１は、外付け入力装置ＤにおけるＩＤ検索キーとしての特定キー（例えばファンクションキー）への入力を受け付ける（ＡＣＴ５８）。入力装置ＤのＩＤ検索キーが入力されると（ＡＣＴ５９、ＹＥＳ）、プロセッサ３１は、表示中の画面上に宛先ＩＤ入力画面をポップアップ画面として表示する（ＡＣＴ７１）。なお、プロセッサ３１は、宛先入力領域Ｒ３の表示を宛先選択画面に更新し、その宛先選択画面を表示した状態において宛先ＩＤ入力画面を表示しても良い。また、ＩＤ検索キーは、宛先選択画面を表示した状態で受付けるものとし、アドレス入力画面１００を表示した状態では受け付けないようにしても良い。
【００６４】
また、アドレス入力画面１００を表示した状態において、プロセッサ３１は、送信ボタン８６への入力も受け付ける（ＡＣＴ５９）。例えば、アドレス入力欄１０１に入力したアドレスを表示した状態で送信ボタン８６が指示されると（ＡＣＴ５９、ＹＥＳ）、プロセッサ３１は、アドレス入力欄１０１に表示しているアドレスをｉＦＡＸの送信先の１つとして、送信処理へ移行する（ＡＣＴ２９）。すなわち、送信ボタン８６への指示を検知すると（ＡＣＴ５９、ＹＥＳ）、プロセッサ３１は、宛先表示領域Ｒ２に表示する宛先とアドレス入力欄１０１に表示するアドレスとをｉＦＡＸの送信先として確定する。ｉＦＡＸの送信先を確定すると、プロセッサ３１は、確定した各宛先への送信処理を開始する。
【００６５】
また、アドレス入力画面１００を表示した状態において、プロセッサ３１は、宛先入力領域Ｒ３に表示する画面を宛先選択画面に戻す指示を受け付ける（ＡＣＴ６０）。宛先選択画面に戻す指示を検知すると（ＡＣＴ６０、ＹＥＳ）、プロセッサ３１は、宛先入力領域Ｒ３の表示を宛先選択画面に更新する（ＡＣＴ１２）。ただし、アドレス入力画面１００で登録欄Ｒ２に登録した宛先（ｉＦＡＸの送信先のアドレス）がある場合、プロセッサ３１は、登録済みのアドレスを宛先の１つしたままの状態で宛先選択画面に更新する。
【００６６】
次に、外付け入力装置ＤにおけるＩＤ検索キーへの入力に応じて宛先ＩＤ入力画面（宛先ＩＤ検索画面）を表示した場合（ＡＣＴ２２、３９又は５８でＹＥＳの場合）の処理について説明する。  
外付け入力装置ＤにおけるＩＤ検索キーの入力に応じて宛先ＩＤ入力画面を表示する場合（ＡＣＴ７１）、プロセッサ３１は、宛先ＩＤ入力画面を表示した状態において外付け入力装置Ｄによる宛先ＩＤの情報の入力を受け付ける（ＡＣＴ７２）。例えば、宛先ＩＤが数字で構成されるものであれば、プロセッサ３１は、入力装置Ｄによる宛先ＩＤとしての数字の入力を受け付ける。外付け入力装置Ｄで宛先ＩＤの情報が入力されると（ＡＣＴ７２、ＹＥＳ）、プロセッサ３１は、入力された情報を宛先ＩＤ入力画面中に設けられたＩＤ入力欄に表示する（ＡＣＴ７３）。
【００６７】
また、宛先ＩＤ入力画面を表示した状態において、プロセッサ３１は、入力された宛先ＩＤの情報に基づく宛先の検索を指示するボタン（ＯＫボタン）への入力を受け付ける（ＡＣＴ７４）。プロセッサ３１は、宛先の検索を指示するボタンが押されると（ＡＣＴ７４、ＹＥＳ）、ＩＤ入力欄に表示した宛先ＩＤの情報に基づいてアドレス帳３４ａに登録されている宛先（宛先ＩＤ）の検索を実行する（ＡＣＴ７５）。なお、プロセッサ３１は、宛先の検索を指示するボタンへの入力によらずに、宛先ＩＤの情報が入力される毎に宛先検索を実行するようにしても良い。例えば、宛先ＩＤが数字で構成される場合、プロセッサ３１は、数字が入力される毎に、宛先ＩＤの上位桁から順に一致する宛先を絞り込むような検索処理が可能である。
【００６８】
入力された情報による宛先ＩＤの検索を実行すると、プロセッサ３１は、宛先入力領域Ｒ３の表示を検索結果に基づいてボタン７３を並べた宛先選択画面に更新する（ＡＣＴ７６）。例えば、プロセッサ３１は、宛先ＩＤの検索によって検出した宛先に対応するボタンが宛先選択画面の左上に表示されるようにボタンの表示をスクロールさせる。また、プロセッサ３１は、宛先ＩＤの検索によって検出した宛先に対応するボタンを宛先選択画面に表示するようにしても良い。また、宛先ＩＤの一部の情報が入力された状態で検索を実行する場合、プロセッサ３１は、検出する複数の宛先（例えば、宛先ＩＤの上位桁が一致する宛先群）に対応する各ボタンを宛先選択画面に表示するようにしても良い。
【００６９】
また、宛先ＩＤ入力画面を表示した状態において、プロセッサ３１は、宛先ＩＤの検索終了を指示するボタンへの入力（閉じるボタンへの入力又は宛先ＩＤ入力画面外への入力など）を受け付ける（ＡＣＴ７７）。宛先ＩＤの検索を終了する指示が入力されると（ＡＣＴ７７、ＹＥＳ）、プロセッサ３１は、宛先ＩＤ入力画面の表示を消す（閉じる）。宛先ＩＤの検索を終了する指示が入力されなければ（ＡＣＴ７７、ＮＯ）、プロセッサ３１は、上記ＡＣＴ７１−７６の処理を実行する。
【００７０】
上記のように、実施形態によれば、デジタル複合機は、番号を入力するための番号ボタンを有する外付けの入力装置が接続可能である。デジタル複合機は、ＦＡＸの宛先を選択する宛先選択画面を表示部に表示した状態において、外付けの入力装置における番号の入力を検知すると、表示部に表示する操作画面を宛先選択画面から番号入力画面に遷移させる。即ち、デジタル複合機は、ユーザがオプションのテンキーなどの外付けの入力装置で番号を入力すると、表示部が表示する操作画面を自動的に番号入力画面に遷移させる。この結果、ユーザは、オプションのテンキーなどの入力装置をデジタル複合機に接続した場合であっても、操作性の良いユーザインターフェースでの操作が行える。
【００７１】
また、実施形態によれば、デジタル複合機は、ＦＡＸの宛先を選択する宛先選択画面を表示部に表示した状態において、外付けの入力装置においてアドレスを指定する情報の入力を検知すると、表示部に表示する操作画面を宛先選択画面からアドレス入力画面に遷移させる。即ち、デジタル複合機は、ユーザがオプションのキーボードなどの外付けの入力装置で番号を入力すると、表示部が表示する操作画面を自動的にアドレス入力画面に遷移させる。この結果、ユーザは、オプションのキーボードなどの入力装置をデジタル複合機に接続した場合であっても、操作性の良いユーザインターフェースでの操作が行える。
【００７２】
上述した実施形態の画像処理装置のプロセッサが実行するプログラムは、メモリにインストール可能な形式または実行可能な形式のファイルでＣＤ−ＲＯＭ、フレキシブルディスク、ＣＤ−Ｒ、ＤＶＤ（Digital Versatile Disk）等のコンピュータで読み取り可能な記憶媒体に記録されて提供される。また、実施形態のプロセッサが実行するプログラムは、インターネット等のネットワーク経由で提供または配布しても良い。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
１…デジタル複合機（画像処理装置）、１１…スキャナ、１２…プリンタ、１３…システム制御部、１４…コントロールパネル、３１…プロセッサ（制御部）、３４…データメモリ、４４…表示部、４５…タッチパネル（検知部）、３７…ＦＡＸ部、３８…通信部、４６…外部インターフェース、Ｄ…入力装置。
【図１】
2017118475.tif 000003
【図２】
2017118475.tif 000004
【図３】
2017118475.tif 000005
【図４】
2017118475.tif 000006
【図５】
2017118475.tif 000007
【図６】
2017118475.tif 000008
【図７】
2017118475.tif 000009